(57)【要約】
【課題】　本考案の紙シートは、保温効果やクッション効果を発揮するものである。
【解決手段】　紙シート１は、前記不織布１１、１２よりやや大きさの小さい紙シート１３および紙粉シート１４が重ねられ、これらが不織布１１と不織布１２によって覆われている。また、前記不織布１１および不織布１２の周囲は、ヒートシールを行うプレス機の押圧、または熱ローラーの間の通過によって不織布１１、１２どうしがシールされて、ヒートシール部１５ができる。
【選択図】　図１
0003099698.tif 000002
【実用新案登録請求の範囲】
【請求項１】
　互いに重ねられた紙粉シートおよび紙シートと、
　重合する紙粉シートおよび紙シートの表面側および裏面側を覆う不織布と、
　前記不織布の周囲をシールするシール部と、
　から少なくとも構成されていることを特徴とする紙シート。
【請求項２】
　紙粉シートを挟んで重ねられた複数枚の紙シートと、
　前記重合する紙シートの表面側および裏面側を覆う不織布と、
　前記不織布の周囲をシールするシール部と、
　から少なくとも構成されていることを特徴とする紙シート。
【請求項３】
　互いに重ねられた複数枚の紙シートと、
　前記重合する紙シートの表面側および裏面側を覆う不織布と、
　前記不織布の周囲をシールするシール部と、
　から少なくとも構成されていることを特徴とする紙シート。
【請求項４】
　前記シール部は、ヒートシールによって接着されていることを特徴とする請求項１ないし請求項３のいずれか１項に記載された紙シート。
【請求項５】
　前記紙粉シート、紙シート、および両面側の不織布は、エンボス処理によって合着されていることを特徴とする請求項１ないし請求項４のいずれか１項に記載された紙シート。
【請求項６】
　前記紙シートおよび／または紙粉シートは、古紙からなることを特徴とする請求項１ないし請求項５のいずれか１項に記載された紙シート。
【請求項７】
　前記紙シートは、トイレットペーパーからなることを特徴とする請求項１ないし請求項５のいずれか１項に記載された紙シート。
【考案の詳細な説明】
【技術分野】
【０００１】
　本考案は、アウトドアスポーツ等に使用する携帯が便利で、使い捨てにすることができる紙シートに関するものである。
【０００２】
　また、本考案は、紙シートおよび／または紙粉シートを不織布によって覆うことにより、保温性、断熱性、柔軟性、通気性、透水性、耐候性、および緩衝性が高く、安価であるが嵩高いので、重厚感があって商品価値の高い紙シートに関するものである。
【背景技術】
【０００３】
　アウトドアスポーツ等に使用するシートは、寝る時、座る時、暖房（保温）等多くの目的があり、合成樹脂系素材によって、携帯性を考慮してシート状に作製されたものが多い。すなわち、前記シートは、寝る時のマット、布団、保温、緩衝部材等に使用するもので、軽くかつ携帯性に優れたものがある。
【０００４】
　紙製で保温・断熱を目的としたものは、たとえば、特開２０００−６２７７３に記載されている保温・断熱容器がある。前記保温・断熱容器は、容器の側壁外面にカールドファイバーを含む紙シート、または機械パルプおよび／またはクラフトパルプを少なくとも一層含む積層体から構成されている。
【０００５】
【特許文献１】特開２０００−６２７７３
【考案の開示】
【考案が解決しようとする課題】
【０００６】
　前記特許文献１に記載された考案は、容器の保温・断熱を目的とするものであり、シート状になっていない。保温性、断熱性、柔軟性、通気性、透水性、耐候性、および緩衝性が高く、安価な紙シートは、今のところ開発されていない。本出願人は、安価な紙粉シート、古紙、トイレットペーパーからなるシートが開発されたことに着目して、本考案の紙シートを開発した。
【０００７】
　以上のような課題を解決するために、本考案は、保温性、断熱性、柔軟性、通気性、透水性、耐候性、および緩衝性に優れ、多目的性、携帯性、取り扱い性、安価、使い捨て等を満足する紙シートを提供することを目的とする。
【課題を解決するための手段】
【０００８】
（第１考案）
　第１考案は、互いに重ねられた紙粉シートおよび紙シートと、重合する紙粉シートおよび紙シートの表面側および裏面側を覆う不織布と、前記不織布の周囲をシールするシール部と、から少なくとも構成されていることを特徴とする。
【０００９】
（第２考案）
　第２考案は、紙粉シートを挟んで重ねられた複数枚の紙シートと、前記重合する紙シートの表面側および裏面側を覆う不織布と、前記不織布の周囲をシールするシール部と、から少なくとも構成されていることを特徴とする。
【００１０】
（第３考案）
　第３考案は、互いに重ねられた複数枚の紙シートと、前記重合する紙シートの表面側および裏面側を覆う不織布と、前記不織布の周囲をシールするシール部と、から少なくとも構成されていることを特徴とする。
【００１１】
（第４考案）
　第４考案の紙シートにおけるシール部は、ヒートシールによって接着されていることを特徴とする。　
【００１２】
（第５考案）
　第５考案において、紙粉シート、紙シート、および両面側の不織布は、エンボス処理によって合着されていることを特徴とする。
【００１３】
（第６考案）
　第６考案において、紙シートおよび／または紙粉シートは、古紙からなることを特徴とする。
【００１４】
（第７考案）
　第７考案の紙シートは、トイレットペーパーからなることを特徴とする。
【考案の効果】
【００１５】
　本考案は、不織布および紙シート、紙粉シートという柔軟性および保温性に優れ、安価な素材に着目した紙シートである。紙シートあるいは紙粉シート等を覆う不織布からなる紙シートは、保温性、柔軟性、通気性、透水性、耐候性、軽量、多目的性、携帯性、取り扱い性、安価、使い捨て、および作製が容易等の全を満足させるものである。前記紙シートは、安価であるが嵩高いので重厚感があって商品価値が高い。
【００１６】
　本考案の紙シートによれば、紙シートが安価で使い捨てにできるため、たとえば、アウトドアスポーツに携帯することで、シート、枕、座布団、布団等において利用することができる。また、本考案の紙シートによれば、安価、軽量で折り畳みが容易であるため、携帯性に優れている。
【考案を実施するための最良の形態】
【００１７】
（第１考案）
　第１考案の紙シートは、所定の大きさに切断された紙粉シートと紙シートを互いに重ね合わせ、不織布によってこれらの紙粉シートおよび紙シートを覆う。前記不織布の周囲は、たとえば、接着剤によってシールされる。前記不織布内の紙粉シートおよび紙シートの重ねる順序は、どちらを上にしても良い。
【００１８】
（第２考案）
　第２考案の紙シートは、不織布に収納される所定の大きさの紙粉シートに対して、上下方向から紙シートが重ねられている点で第１考案と異なっている。すなわち、第２考案の紙シートは、紙シートが一枚多く不織布の中に入っている分、保温力が大きくなる。また、第２考案は、前記不織布内において、紙シートを上下方向から紙粉シートによって挟むようにすることもできる。
【００１９】
（第３考案）
　第３考案の紙シートは、不織布の中に順次複数層に重ねられた紙シートまたは紙粉シートが入れられている点で、第１考案および第２考案と異なっている。すなわち、第３考案の紙シートは、不織布内に紙シートまたは紙粉シートのみを入れている点で、第１考案および第２考案と異なっている。
【００２０】
（第４考案）
　第４考案の紙シートは、不織布どうしを接着させるために、ヒートシールを使用した点で第１考案ないし第３考案と異なっている。ヒートシールは、接着剤のように乾燥等を行う必要がなく、所定の温度に加熱された熱プレスの押圧や熱ローラーを通過させるだけであるため、作製が容易かつ短時間となる。
【００２１】
（第５考案）
　第５考案の紙シートは、不織布の少なくとも一方にエンボスを成形することで、前記不織布と、その内部の紙シートおよび紙粉シートが合着されて移動しないようにしている。また、第５考案の紙シートは、前記エンボスにより、厚さ方向の厚み（嵩高）が厚くなり、保温性をより高める。
【００２２】
（第６考案）
　第６考案の紙シートは、古紙からなる紙シートおよび／または紙粉シートを使用することで、安価に作製される。
【００２３】
（第７考案）
　第７考案の紙シートは、不織布内に入れる紙部材を既成のトイレットペーパーとして、安価に作製される。
【実施例１】
【００２４】
　図１（イ）は本考案の一実施例で、紙シートの一部を切り欠いた上面図であり、（ロ）は同じく紙シートの断面図である。図１（イ）および（ロ）において、紙シート１は、前記不織布１１、１２よりやや大きさの小さい紙シート１３および紙粉シート１４が重ねられ、これらを不織布１１と不織布１２によって覆っている。前記紙シート１３および紙粉シート１４の重ねる順序は、任意である。
【００２５】
　前記紙シート１３および紙粉シート１４は、いずれも市販されている既製品である。図１（イ）および（ロ）に示されているように、不織布１１および不織布１２の周囲は、たとえば、ヒートシールを行うプレス機の押圧、または熱ローラーの間の通過によって不織布１１、１２どうしがシールされて、ヒートシール部１５ができる。
【００２６】
　前記ヒートシール部１５は、ヒートシールの代わりに図示されていない接着剤やミシンによってシールすることも可能である。前記接着剤によって不織布１１、１２どうしを接着する場合、接着剤の乾燥が必要である。前記接着剤は、たとえば、ポリ酢酸ビニール、あるいは、ポリ塩化ビニル等を使用することができる。
【００２７】
　図２は本考案の第一実施例で、紙シートを上部から押圧するための図である。図２において、図１によって作製された紙シート１は、エンボスローラー２１、２２の間を通過させる。前記エンボスローラー２１、２２を通過した紙シート１は、前記エンボスローラー２１、２２の凹凸により、前記不織布１１、１２、前記紙シート１３、紙粉シート１４が互いに食い込むように押圧され、互いに内部で移動し難くなると同時に、全体の厚みが厚くなる。
【実施例２】
【００２８】
　図３は本考案の第二実施例である紙シートの断面図である。図３において、紙シート３は、不織布１１および不織布１２の間に収納される所定の大きさの紙粉シート１４に対して、上下方向から紙シート１３、１３′が重ねられている。また、前記紙シート３は、不織布１１および不織布１２の間に収納される所定の大きさの紙シートに対して、上下方向から紙粉シートを重ねるようにすることもできる。その後、不織布１１と不織布１２どうしは、その周囲がシールされる。
【実施例３】
【００２９】
　図４は本考案の第三実施例である紙シートの断面図である。図４において、紙シート４は、紙シート４１が複数重ねられており、その周囲を不織布１１、１２が覆っている。また、前記不織布１１、１２の周囲は、接着剤またはヒートシールによってシールされる。前記紙シート４１の代わりに、複数層の紙粉シートのみを不織布の中に入れることもできる。
【産業上の利用可能性】
【００３０】
　以上、本考案の実施例を詳述したが、本考案は、前記実施例に限定されるものではない。そして、本考案は、実用新案登録請求の範囲に記載された事項を逸脱することがなければ、種々の設計変更を行うことが可能である。本考案の紙シート、紙粉シートは、ロール状に巻回された既成品を使用することができる。また、前記紙シートの材質は、古紙やトイレットペーパーを使用することができる。
【００３１】
　本考案の紙シートに使用する紙シート、紙粉シートの厚さおよび枚数は、使用目的、使用場所によって任意に選択することができる。
【００３２】
　本考案の実施例は、紙シートで説明したが、紙シート以外に、布団、足拭き、アウトドアにおけるシート、枕、スポーツ観戦時の座布団や保温用、断熱シート、包装用緩衝シート等に使用することができる。
【図面の簡単な説明】
【００３３】
【図１】（イ）は本考案の一実施例で、紙シートの一部を切り欠いた上面図であり、（ロ）は同じく紙シートの断面図である。（実施例１）
【図２】本考案の第一実施例で、紙シートを上部から押圧するための図である。（実施例１）
【図３】本考案の第二実施例である紙シートの断面図である。（実施例２）
【図４】本考案の第三実施例である紙シートの断面図である。（実施例３）
【符号の説明】
【００３４】
　１・・・紙シート
　３・・・紙シート
　４・・・紙シート
　１１・・・不織布
　１２・・・不織布
　１３・・・紙シート
　１３′・・・紙シート
　１４・・・紙粉シート
　１５・・・ヒートシール部
　２１・・・エンボスローラー
　２２・・・エンボスローラー
　４１・・・紙シート
【図１】
0003099698.tif 000003
【図２】
0003099698.tif 000004
【図３】
0003099698.tif 000005
【図４】
0003099698.tif 000006